(57)【要約】【課題】従来の照明器付き換気送風装置では、遠隔操作装置と受信部が必要であり制御手段が高価となり、また、夜間に照明器の点灯制御を行う際、暗やみの中で遠隔操作を捜し出してから操作する必要があり、使い勝手が悪いという課題を有していた。【解決手段】羽根および電動機１０１を備えた本体１０２と、本体１０２に設けた電源の通電状態を信号として判定する電源信号判定手段２と、電源信号判定手段２からの信号を受けて電動機１０１に通電制御を行う電動機通電手段３と、本体１０２から電源供給される電気機器６と、電気機器６に通電制御を行う電気機器通電手段４と、本体１０２への通電を入切する電源スイッチ１０８とを備え、電源信号判定手段２により電源スイッチ１０８の一定時間でのオフオン操作を判定し、電動機１０１と電気機器６への通電と非通電の組み合わせ制御を行う制御手段１を備えたことを特徴とした換気送風装置である。【選択図】図１
2006104964.tif 000002
【特許請求の範囲】
【請求項１】
羽根および電動機を備えた本体と、前記本体に設けた電源の通電状態を信号として判定する電源信号判定手段と、前記電源信号判定手段からの信号を受けて電動機に通電制御を行う電動機通電手段と、前記本体から電源供給される電気機器と、前記電気機器に通電制御を行う電気機器通電手段と、前記本体への通電を入切する電源スイッチとを備え、前記電源信号判定手段により電源スイッチの一定時間でのオフオン操作を判定し、前記電動機と前記電気機器への通電と非通電の組み合わせ制御を行う制御手段を備えたことを特徴とする換気送風装置。
【請求項２】
本体と電気機器を一体化したことを特徴とする請求項１記載の換気送風装置。
【請求項３】
本体と照明機器を一体化したことを特徴とする請求項１記載の換気送風装置。
【請求項４】
電源スイッチをオンすることで照明器が点灯し、さらに電源スイッチを一定時間でオフオン操作した場合に電動機に通電することを特徴とする請求項３記載の換気送風装置。
【請求項５】
電源スイッチをオンすることで電動機を運転し、さらに電源スイッチを一定時間でオフオン操作した場合に照明器に通電することを特徴とする請求項３記載の換気送風装置。
【請求項６】
電源スイッチをオンした場合の動作を設定する設定部を設け、初期動作を選択できることを特徴とする請求項３記載の換気送風装置。
【請求項７】
制御手段に昼夜を判定する光検知部を設け、電源スイッチをオンした場合の動作を自動判定するための自動判定部を設けたことを特徴とする請求項３記載の換気送風装置。
【請求項８】
電動機に速調を設け、電源スイッチを一定時間でオフオン操作する毎に電動機の回転速度を切替える電動機速度切替手段を設け、電動機の回転速度切替えができることを特徴とする請求項３記載の換気送風装置。
【請求項９】
運転状態を記憶する記憶部を設け、電源スイッチがオンされた時に前回の運転状態に復帰することを特徴とする請求項８記載の換気送風装置。
【請求項１０】
運転状態を表示する表示部を設けたことを特徴とする請求項８および請求項９記載の換気送風装置。
【発明の詳細な説明】
【技術分野】
【０００１】
本発明は、換気送風装置に関する。
【背景技術】
【０００２】
近年、使用者の利便性向上や、居室の快適性向上を目的として、照明器やヒーターなどの付加機能を具備した換気送風装置の採用が増加している。
【０００３】
従来この種の換気送風装置は、有線式あるいは無線式の専用の遠隔操作装置を設け、使用者が遠隔操作装置を操作することによって換気送風機器の運転や照明器などの付加機能の操作を行うようにしていた。
【０００４】
例えば、照明器付き天井扇風機の場合には、機器の電源スイッチを壁に設け、さらに遠隔操作装置を設けていた。本体には電動機と照明器を内蔵し、本体に設けた受信器により無線式遠隔操作装置からの信号を受信し、受信信号を判別解読する制御手段により、電動機の制御と本体に取り付けられた照明器の点灯制御ができるようになっていた（例えば、特許文献１参照）。
【０００５】
以下、その天井扇風機について図１４を参照しながら説明する。
【０００６】
図に示すように、本体１０２は電動機１０１を内蔵し本体１０２の上部に設けた受信器１０３により遠隔操作装置１０４からの信号を受信し、受信信号を判別解読する制御手段１０５により、電動機１０１に取り付けられた羽根１０６を回転制御している。また受信器１０３は本体１０２の下部に取り付けられた照明器１０７の点灯制御もできるものである。壁には本体１０２への通電を入切する電源スイッチ１０８が設けられている。
【特許文献１】特開平６−１０８８１号公報
【発明の開示】
【発明が解決しようとする課題】
【０００７】
このような従来の換気送風装置では、遠隔操作装置と、制御手段には遠隔操作装置からの信号を受信する受信部が必要であり制御手段が高価となる。また、換気送風装置に付設した照明器の点灯制御は遠隔操作で行うようになっているため、照明器を夜間に点灯させる場合は、暗闇の中で遠隔操作装置を捜し出してから操作する必要があり、使い勝手が悪いという課題を有していた。
【０００８】
本発明は、このような従来の課題を解決するものであり、壁に付設された電源スイッチのみで照明器の操作をすることができるため、遠隔操作装置からの信号を受信する受信部と遠隔操作装置が不要であり安価とすることができ、また、照明器の操作は壁に付設された電源スイッチのみで行うことができるため、暗闇の中でも容易に操作することができる使い勝手の良い換気送風装置を提供することを目的としている。
【課題を解決するための手段】
【０００９】
本発明の換気送風装置は上記目的を達成するために、羽根および電動機を備えた本体と、本体に設けた電源の通電状態を信号として判定する電源信号判定手段と、電源信号判定手段からの信号を受けて電動機に通電制御を行う電動機通電手段と、本体から電源供給される電気機器と、電気機器に通電制御を行う電気機器通電手段と、本体への通電を入切する電源スイッチとを備え、電源信号判定手段により電源スイッチの一定時間でのオフオン操作を判定し、電動機と電気機器への通電と非通電の組み合わせ制御を行う制御手段を備えた構成としたものである。
【００１０】
これにより、電源スイッチの一定時間でのオフオン操作により電動機と、本体に接続された電気機器の操作を行うことができるので遠隔操作装置が不要で安価な換気送風装置を提供することができる。
【００１１】
また他の手段は、本体と電気機器を一体化した構成としたものである。
【００１２】
これにより、電気配線工事が不要であり、かつ遠隔操作装置が不要で安価な換気送風装置を提供することができる。
【００１３】
また他の手段は、本体と照明機器を一体化した構成としたものである。
【００１４】
これにより、照明器を買い換えて照明器付き換気送風機に変更する場合においても、電気配線工事が不要であり使用者自身で付け替えを行うことができる換気送風装置を提供することができる。
【００１５】
また他の手段は、電源スイッチをオンすることで照明器が点灯し、さらに電源スイッチを一定時間でオフオン操作した場合に電動機に通電する構成としたものである。
【００１６】
これにより、電源スイッチの通常のオンオフ操作で照明器を点灯および消灯することができるので照明器の操作が容易であり、さらに電源スイッチを一定時間でオフオン操作した場合に電動機の運転および停止操作も可能となる換気送風装置を提供することができる。
【００１７】
また他の手段は、電源スイッチをオンすることで電動機を運転し、さらに電源スイッチを一定時間でオフオン操作した場合に照明器に通電する構成としたものである。
【００１８】
これにより、電源スイッチの通常のオンオフ操作で電動機を運転および停止することができるので、ファンの操作が容易であり、さらに電源スイッチを一定時間でオフオン操作した場合に照明器の点灯および消灯も可能となる換気送風装置を提供することができる。
【００１９】
また他の手段は、電源スイッチをオンした場合の動作を設定する設定部を設け、動作を選択できる構成としたものである。
【００２０】
これにより、電源スイッチの動作を設定する設定部の切替えで、操作優先順位を設定できるので使用者の好みによって使い分けを行うことができる換気送風装置を提供することができる。
【００２１】
また他の手段は、制御手段に昼夜を判定する光検知部を設け、電源スイッチをオンした場合の動作を自動判定するための自動判定部を設けた構成としたものである。
【００２２】
これにより、制御手段に昼夜を判定する光検知部と電源スイッチをオンした場合の動作を自動判定するための自動判定部を設けたので、電源スイッチがオンされた時の初期動作を自動判定することができ使用者が意識することなく使用できる換気送風装置を提供することができる。
【００２３】
また他の手段は、電動機に速調を設け、電源スイッチを一定時間でオフオン操作する毎に電動機の回転速度を切替える電動機速度切替手段を設け、電動機の回転速度切替えができる構成としたものである。
【００２４】
これにより、電動機に速調を設けた場合においても、使用者が電源スイッチを操作することで照明器と電動機の速調を組み合わせて切替ることができる換気送風装置を提供することができる。
【００２５】
また他の手段は、運転状態を記憶する記憶部を設け、電源スイッチがオンされた時に前回の運転状態に復帰する構成としたものである。
【００２６】
これにより、一時的に停止した場合などにおいても容易に元の状態に復帰することが可能となる換気送風装置を提供することができる。
【００２７】
また他の手段は、運転状態を表示する表示部を設けた構成としたものである。
【００２８】
これにより、使用者が運転モードを容易に認識することができ、操作を確実に行うことができる換気送風装置を提供することができる。
【発明の効果】
【００２９】
本発明によれば、電源スイッチの一定時間でのオフオン操作により電動機と、本体に接続された電気機器の操作を行うことができるので遠隔操作装置が不要となり安価で、使い勝手の良い換気送風装置を提供することができる。
【００３０】
また、本体と電気機器を一体化することにより、電気配線工事が不要であり、かつ遠隔操作装置が不要で安価な換気送風装置を提供することができる。
【００３１】
また、照明器を買い換えて照明器付き換気送風機に変更する場合においても、電気配線工事が不要であり使用者自身で付け替えを行うことができる換気送風装置を提供することができる。
【００３２】
また、電源スイッチの通常のオンオフ操作で照明器を点灯および消灯することができるので照明器の操作が容易であり、さらに電源スイッチを一定時間でオフオン操作した場合に電動機の運転および停止操作も可能となる換気送風装置を提供することができる。
【００３３】
また、電源スイッチの通常のオンオフ操作で電動機を運転および停止することができるので、ファンの操作が容易であり、さらに電源スイッチを一定時間でオフオン操作した場合に照明器の点灯および消灯も可能となる換気送風装置を提供することができる。
【００３４】
また、電源スイッチの動作を設定する設定部の切替えで、操作優先順位を設定できるので使用者の好みによって使い分けを行うことができる換気送風装置を提供することができる。
【００３５】
また、制御手段に昼夜を判定する光検知部と電源スイッチをオンした場合の動作を自動判定するための自動判定部を設けたので、電源スイッチがオンされた時の初期動作を自動判定することができ使用者が意識することなく使用できる換気送風装置を提供することができる。
【００３６】
また、電動機に速調を設けた場合においても、使用者が電源スイッチを操作することで照明器と電動機の速調を組み合わせて切替ることができる換気送風装置を提供することができる。
【００３７】
また、運転モードを記憶しているので一時的に停止した場合などにおいても容易に元の状態に復帰することが可能となる換気送風装置を提供することができる。
【００３８】
また、運転モードを表示する表示部を設けたので、使用者が運転モードを容易に認識することができ、操作を確実に行うことができる換気送風装置を提供することができる。
【発明を実施するための最良の形態】
【００３９】
本発明の請求項１記載の発明は、羽根および電動機を備えた本体と、本体に設けた電源の通電状態を信号として判定する電源信号判定手段と、電源信号判定手段からの信号を受けて電動機に通電制御を行う電動機通電手段と、本体から電源供給される電気機器と、電気機器に通電制御を行う電気機器通電手段と、本体への通電を入切する電源スイッチとを備え、電源信号判定手段により電源スイッチの一定時間でのオフオン操作を判定し、電動機と電気機器への通電と非通電の組み合わせ制御を行う構成としたものであり、電源スイッチの一定時間でのオフオン操作により電動機と、本体に接続された電気機器の操作を行うことができるので遠隔操作装置が不要となり安価で、使い勝手の良い換気送風装置を提供することができる作用を有する。
【００４０】
また他の手段は、本体と電気機器を一体化した構成としたものであり、電気配線工事が不要であり、かつ遠隔操作装置が不要で安価な換気送風装置を提供することができる作用を有する。
【００４１】
また他の手段は、本体と照明機器を一体化した構成としたものであり、照明器を買い換えて照明器付き換気送風機に変更する場合においても、電気配線工事が不要であり使用者自身で付け替えを行うことができる換気送風装置を提供することができる作用を有する。
【００４２】
また他の手段は、電源スイッチをオンすることで照明器が点灯し、さらに電源スイッチを一定時間でオフオン操作した場合に電動機に通電する構成としたものであり、電源スイッチの通常のオンオフ操作で照明器を点灯および消灯することができるので照明器の操作が容易であり、さらに電源スイッチを一定時間でオフオン操作した場合に電動機の運転および停止操作も可能となる換気送風装置を提供することができる作用を有する。
【００４３】
また他の手段は、電源スイッチをオンすることで電動機を運転し、さらに電源スイッチを一定時間でオフオン操作した場合に照明器に通電する構成としたものであり、電源スイッチの通常のオンオフ操作で電動機を運転および停止することができるので、ファンの操作が容易であり、さらに電源スイッチを一定時間でオフオン操作した場合に照明器の点灯および消灯も可能となる換気送風装置を提供することができる作用を有する。
【００４４】
また他の手段は、電源スイッチをオンした場合の動作を設定する設定部を設け、動作を選択できる構成としたものであり、電源スイッチの動作を設定する設定部の切替えで、操作優先順位を設定できるので使用者の好みによって使い分けを行うことができる換気送風装置を提供することができる作用を有する。
【００４５】
また他の手段は、制御手段に昼夜を判定する光検知部を設け、電源スイッチをオンした場合の動作を自動判定するための自動判定部を設けた構成としたものであり、制御手段に昼夜を判定する光検知部と電源スイッチをオンした場合の動作を自動判定するための自動判定部を設けたので、電源スイッチがオンされた時の初期動作を自動判定することができ使用者が意識することなく使用できる換気送風装置を提供することができる作用を有する。
【００４６】
また他の手段は、電動機に速調を設け、電源スイッチを一定時間でオフオン操作する毎に電動機の回転速度を切替える電動機速度切替手段を設け、電動機の回転速度切替えができる構成としたものであり、電動機に速調を設けた場合においても、使用者が電源スイッチを操作することで照明器と電動機の速調を組み合わせて切替ることができる換気送風装置を提供することができる作用を有する。
【００４７】
また他の手段は、運転状態を記憶する記憶部を設け、電源スイッチがオンされた時に前回の運転状態に復帰する構成としたものであり、一時的に停止した場合などにおいても容易に元の状態に復帰することが可能となる換気送風装置を提供することができる作用を有する。
【００４８】
また他の手段は、運転状態を表示する表示部を設けた構成としたものであり、使用者が運転モードを容易に認識することができ、操作を確実に行うことができる換気送風装置を提供することができる作用を有する。
【００４９】
以下、本発明の実施の形態について図面を参照しながら説明する。
【００５０】
（実施の形態１）
図１に示すように、本体１０２に内蔵される制御手段１は、本体１０２への通電状態を信号として判定する電源信号判定手段２と、電動機への通電制御を行う電動機通電手段３と、電気機器への通電制御を行う電気機器通電手段４と、電気二重層コンデンサなどの高容量のコンデンサを用い一定時間（２秒程度）の電源断状態でも電源信号判定手段２の電源を保持できる電源手段５とを備え、さらに本体１０２への通電を入切する電源スイッチ１０８と、本体１０２から電源供給される電気機器６により構成される。また、電源信号判定手段２は、図３に示すフローチャートに従って電源信号判定を行う。図３の判断１４にて電源信号立ち上がりを判定し、電源信号立ち上がりを検出した場合に、判断１５および判断１７によって電源信号が立ち上がる前の電源オフ時間により処理を区分けする。判断１５において電源オフ時間が２秒以上の場合には、処理１６にて電動機を運転するようにし、判断１７において電源オフ時間が０．３〜２秒の場合には、判断１８にて電気機器の通電状態を判断し電気機器が通電中の場合には、処理１９にて電気機器への通電を遮断し、電気機器が非通電の場合には、処理２０にて電気機器へ通電を行うように構成したものである。なお、判断に用いる０．３秒の時間の根拠は、一般的に電源の瞬時停電は０．２秒以下であることから、電源スイッチの操作と瞬時停電を誤判定しないようにする時間である。また、判断に用いる２秒の時間の根拠は、使用者の使い勝手を考慮して長すぎない時間に定めたものである。電源信号判定手段２としては、マイコン等がある。
【００５１】
上記構成において、まず電源スイッチ１０８がオンした時に、電源信号判定手段２は電源が２秒以上オフされた状態で電源が通電開始されたことを判定し、電動機通電手段３に信号を送り電動機１０１に通電を行う。電動機通電手段３および電気機器通電手段４としては、電源の通電と非通電を切替えられる機能を備えていれば良く、例えばリレーやトライアックなどの半導体スイッチング素子で構成される。次に図２に示すように、電源スイッチ１０８が一定時間（０．３秒〜２秒の間）オフされ、オンに戻された場合に、電源信号判定手段２は電気機器への通電制御指令と判定し電気機器通電手段４に信号を送り電気機器６へ通電を行うこととなり、また、再度電源スイッチ１０８が一定時間（例えば０．３秒〜２秒の間）オフされ、オンに戻された場合に、電源信号判定手段２は電気機器への通電制御指令と判定し電気機器通電手段４への信号を切り電気機器６への通電を遮断することとなる。このように、使用者が電源スイッチ１０８の操作を行うことによって電動機の操作に加えて、換気送風装置に接続された電気機器の操作が可能となるものである。
【００５２】
（実施の形態２）
図４に示すように、電気機器６を本体１０２に内蔵し一体化した構成とする。
【００５３】
上記構成において、本体１０２と電気機器６を一体化することにより、本体１０２と電気機器６を配線する工事を省略することができ、かつ遠隔操作装置が不要で安価な換気送風装置を提供することができる。
【００５４】
（実施の形態３）
図５に示すように、照明器７を本体１０２に内蔵し一体化した構成とする。
【００５５】
上記構成において、電源スイッチの操作により、電動機の操作と照明器の操作を行うことができるものである。例えば、図６に示すように、電源スイッチがオフ状態においては当然ながら電動機、照明器ともオフであるが、電源スイッチをオンすることで照明器が点灯するようにする。さらに電源スイッチを一定時間（例えば０．３秒〜２秒の間）にオフオンした場合には、照明器は点灯状態を維持したまま、電動機に通電を行うようにする。また、さらに電源スイッチを一定時間（例えば０．３秒〜２秒の間）にオフオンした場合には電動機への通電を遮断するようにする。このように電源スイッチの操作により照明器と電動機の両方を操作することができることとなる。
【００５６】
一方、事務所など他の照明装置と併用して使用する場合には、電動機の操作を優先した方が便利である。例えば、図７に示すように、電源スイッチがオフ状態からオンすることで電動機が運転するようにする。さらに電源スイッチを一定時間（例えば０．３秒〜２秒の間）にオフオンした場合には、電動機の運転を維持したまま、照明器に通電を行うようにする。また、さらに電源スイッチを一定時間（例えば０．３秒〜２秒の間）にオフオンした場合には照明器への通電を遮断するようにする。このように換気送風を基本的に使用する場合には、電動機の操作を優先して行えるようにできるものである。なお、図６および図７記載の運転状態遷移表は一例であり記載以外の運転状態の組合せであってもその効果は同様である。
【００５７】
（実施の形態４）
図８に示すように、電源信号判定手段２に優先機器を設定できる設定部８を接続した構成とする。
【００５８】
上記構成において、電源オフ状態からオン状態になった場合の初期動作を設定部８の設定に従うようにする。設定部８は使用者が容易に操作できるスイッチ機能を備えていれば良く、例えばスライドスイッチで構成される。例えば、主に照明として使用する場合には、設定部を照明優先に設定する。照明が優先に設定されている場合には、電源オフ状態からオン状態になった場合に照明器７を点灯させる。その後、電動機１０１を運転する場合には、電源スイッチを一定時間（例えば０．３秒〜２秒の間）にオフオンすることによって電動機１０１の操作を行うことができる。また、主に換気送風として使用する場合には、設定部を換気送風優先に設定する。換気送風が優先に設定されている場合には、電源オフ状態からオン状態になった場合に電動機１０１を運転させる。その後、照明器７を点灯する場合には、電源スイッチを一定時間（例えば０．３秒〜２秒の間）にオフオンすることによって照明器７の操作を行うことができる。このように設定部８の設定により優先動作機器を切り替えることができるものである。
【００５９】
（実施の形態５）
図９に示すように、電源信号判定手段２に昼夜を判定する光検知部９を接続した構成とする。
【００６０】
上記構成において、電源オフ状態からオン状態になった場合の初期動作を昼夜で切り替える。光検知部９は、光センサにて照度を測定し、その結果から昼夜を判定し、その信号を電源信号判定手段２に送る。電源信号判定手段２は、受け取った信号により電源スイッチがオンされた場合の初期動作を決定するようにする。その後の電源スイッチの一定時間のオフオン操作では、優先されていない機器の通電と非通電を切り替えるようにする。このようにすることで、昼間に電源スイッチがオンされた場合には、電動機の運転を優先し、夜間に電源スイッチがオンされた場合には、照明器の点灯を優先することができる。
【００６１】
（実施の形態６）
図１０に示すように、電動機速度切替手段１１と、強運転と弱運転の速度切替えを有する電動機１０を接続する構成としたものである。電動機速度切替手段１１は、電源の通電状態を切替えられる機能を備えていれば良く、例えばリレーやトライアックなどの半導体スイッチング素子を複数組み合わせることで構成される。
【００６２】
上記構成において、電源スイッチの操作により、電動機の強弱運転の切り替え操作と照明器の操作を行うことができるものである。例えば、図１１に示すように、電源スイッチがオフ状態においては当然ながら電動機、照明器ともオフであるが、電源スイッチをオンすることで照明器が点灯するようにする。さらに電源スイッチを一定時間（例えば０．３秒〜２秒の間）にオフオンした場合には電動機の弱運転を行うようにする。さらに電源スイッチを一定時間（例えば０．３秒〜２秒の間）にオフオンした場合には電動機の強運転を行うようにする。さらに電源スイッチを一定時間（例えば０．３秒〜２秒の間）にオフオンした場合には電動機の運転を停止するようにする。このように電源スイッチの操作により電動機の速度切り替えと、照明器を操作することができることとなる。
【００６３】
（実施の形態７）
図１２に示すように、電源信号判定手段２に運転状態を記憶する記憶部１２を接続した構成とする。記憶部１２は、例えばEEPROM（電気的消去再書込み可能な読み出し専用記憶装置）で構成する。
【００６４】
上記構成において、記憶部１２は運転状態が切り替えられる毎にその運転状態を記憶する。そして、電源信号判定手段２は、電源オフ状態からオン状態になったことを検出したときに、運転状態を記憶部１２が記憶している運転状態に設定する。このようにすることにより、電源スイッチがオンされた場合には前回の運転状態に復帰することになる。
【００６５】
（実施の形態８）
図１３に示すように、本体１０２に運転状態を表示する表示部１３を設けた構成とする。
【００６６】
表示部１３は、例えばLEDや液晶表示器で構成する。
【００６７】
上記構成において、運転状態を表示部１３に表示するようにする。使用者は、運転状態を容易に認識することができ使い勝手の良い換気送風装置を提供することができる。
【産業上の利用可能性】
【００６８】
本発明にかかる換気送風装置は、電源スイッチの一定時間でのオフオン操作により電動機と接続された電気機器の操作を行うことができるので遠隔操作装置が不要で安価な換気送風装置を提供することができる。
【図面の簡単な説明】
【００６９】
【図１】本発明の実施の形態１の換気送風装置の構成図
【図２】同電源スイッチ操作タイミングチャート
【図３】同電源信号判定手段のフローチャート
【図４】本発明の実施の形態２の換気送風装置の構成図
【図５】本発明の実施の形態３の換気送風装置の構成図
【図６】同運転状態遷移図
【図７】同運転状態遷移図
【図８】本発明の実施の形態４の換気送風装置の構成図
【図９】本発明の実施の形態５の換気送風装置の構成図
【図１０】本発明の実施の形態６の換気送風装置の構成図
【図１１】同運転状態遷移図
【図１２】本発明の実施の形態７の換気送風装置の構成図
【図１３】本発明の実施の形態８の換気送風装置の構成図
【図１４】従来の換気送風装置の構成図
【符号の説明】
【００７０】
１  制御手段
２  電源信号判定手段
３  電動機通電手段
４  電気機器通電手段
【図１】
2006104964.tif 000003
【図２】
2006104964.tif 000004
【図３】
2006104964.tif 000005
【図４】
2006104964.tif 000006
【図５】
2006104964.tif 000007
【図６】
2006104964.tif 000008
【図７】
2006104964.tif 000009
【図８】
2006104964.tif 000010
【図９】
2006104964.tif 000011
【図１０】
2006104964.tif 000012
【図１１】
2006104964.tif 000013
【図１２】
2006104964.tif 000014
【図１３】
2006104964.tif 000015
【図１４】
2006104964.tif 000016